【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
可視光を発光して情報を送信する送信装置と、前記送信装置からの前記可視光を受光して前記情報を受信する受信装置とを備える可視光通信システムであって、
前記送信装置は、
第１の情報を第１の中心周波数で平均振幅レベルが一定となる第１の変調方式を用いて第１の変調信号を生成する第１の変調部と、
第２の情報を前記第１の中心周波数よりも低い第２の中心周波数で一次変調を行ない、
第２の変調方式を用いた二次変調を行ない第２の変調信号を生成する第２の変調部と、
前記第１の変調信号及び前記第２の変調信号を加算して重畳信号を生成する加算部と、
前記重畳信号に基づいて前記可視光の強さを制御して発光する発光部と
を備え、
前記受信装置は、
前記送信装置から発光された光を受光する受光部と、
前記受光部が受光して得られた信号から一定期間ごとの平均を算出する平均算出部と、
前記平均算出部の算出結果について、前記二次変調に対応した二次復調を行ない前記一次変調に対応した一次復調を行なって前記第２の情報を取得する第１の復調部と
を備える
ことを特徴とする可視光通信システム。
【請求項２】
前記受信装置は、
前記平均算出部の算出結果についてＤＣ成分を除去するオフセット除去部と、
前記受光して得られた信号から前記オフセット除去部の結果を減算する減算部と、
前記減算部の結果について前記第１の変調方式に対応した第１の復調方式を用いて前記第１の情報を取得する第２の復調部とをさらに備える
ことを特徴とする請求項１に記載の可視光通信システム。
【請求項３】
前記第２の変調方式は、固有符号を用いたスペクトラム拡散であって、
前記第１の復調部は、
少なくとも前記送信装置が用いる前記固有符号を保持し、前記平均算出部の算出結果から前記固有符号を用いてスペクトラム逆拡散を行ない、前記一次復調を行なう
ことを特徴とする請求項１に記載の可視光通信システム。
【請求項４】
前記固有符号がそれぞれ異なる前記送信装置に複数設けられ、
前記受信装置において、
前記第１の復調部は、設けられた前記送信装置で用いられる前記固有符号を保持し、前記平均算出部の算出結果からそれぞれの前記固有符号を用いてスペクトラム逆拡散をして得られたそれぞれのスペクトラム逆拡散結果について前記一次復調を行なう
ことを特徴とする請求項３に記載の可視光通信システム。
【請求項５】
前記固有符号のチップ長は、前記第１の中心周波数の周期よりも長く、前記第２の中心周波数の周期以下である
ことを特徴とする請求項３または請求項４に記載の可視光通信システム。
【請求項６】
前記送信装置は光度情報をさらに入力し、
前記第２の変調部は、
前記第２の情報を前記第２の中心周波数で一次変調を行なう一次変調部と、
前記一次変調部の出力について前記固有符号を用いてスペクトラム拡散を行なう第１のスペクトラム拡散部と、
前記光度情報に基づいて光度調整信号を生成する光度調整信号生成部と、
前記光度調整信号について前記固有符号と直行関係を有する第２の固有符号を用いてスペクトラム拡散を行なう第２のスペクトラム拡散部と、
前記第１のスペクトラム拡散部の結果と前記第２のスペクトラム拡散部の結果とを時間的に交互に選択したものを前記第２の変調信号とする
ことを特徴とする請求項３から請求項５のいずれか１項に記載の可視光通信システム。
【請求項７】
前記受信装置は、
前記平均算出部の算出結果についてＤＣ成分を除去するオフセット除去部と、
前記受光して得られた信号から前記オフセット除去部の結果を減算する減算部と、
前記減算部の結果について前記第１の変調方式に対応した第１の復調方式を用いて前記第１の情報を取得する第２の復調部とをさらに備える
ことを特徴とする請求項３から請求項６のいずれか１項に記載の可視光通信システム。
【請求項８】
前記第２の復調部は、
前記平均算出部の算出結果からそれぞれの前記固有符号を用いてスペクトラム逆拡散をして得られたそれぞれのスペクトラム逆拡散結果に基づいてＳＮ比を算出するＳＮ比算出部をさらに備える
ことを特徴とする請求項７に記載の可視光通信システム。
【請求項９】
前記第２の復調部は、
前記ＳＮ比が所定の閾値よりも高い場合に前記第１の復調部の実行を制御する
ことを特徴とする請求項８に記載の可視光通信システム。
【請求項１０】
可視光を発光して情報を送信する送信装置と、前記送信装置からの前記可視光を受光して前記情報を受信する受信装置とを備える可視光通信システムであって、
前記送信装置は、
第１の情報を第１の中心周波数で平均振幅レベルが一定となる第１の変調方式を用いて第１の変調信号を生成する第１の変調部と、
第２の情報を前記第１の中心周波数よりも低い第２の中心周波数で一次変調を行なって第２の変調信号を生成する第２の変調部と、
前記第１の変調信号及び前記第２の変調信号を加算して重畳信号を生成する加算部と、
前記重畳信号に基づいて前記可視光の強さを制御して発光する発光部と
を備え、
前記受信装置は、
前記送信装置から発光された光を受光する受光部と、
前記受光して得られた信号から一定期間ごとの平均を算出する平均算出部と、
前記平均算出部の算出結果から前記一次変調に対応した一次復調を行なって前記第２の情報を取得する第１の復調部と
を備える
ことを特徴とする可視光通信システム。
【請求項１１】
第１の情報を第１の中心周波数で平均振幅レベルが一定となる第１の変調方式を用いて第１の変調信号を生成する第１の変調部と、
第２の情報を前記第１の中心周波数よりも低い第２の中心周波数で一次変調を行ない、
第２の変調方式を用いた二次変調を行ない第２の変調信号を生成する第２の変調部と、
前記第１の変調信号及び前記第２の変調信号を加算して重畳信号を生成する加算部と、
前記重畳信号に基づいて可視光の強さを制御して発光する発光部と
を備える
ことを特徴とする送信装置。
【請求項１２】
第１の情報を第１の中心周波数で平均振幅レベルが一定となる第１の変調方式を用いて第１の変調信号が生成され、第２の情報を前記第１の中心周波数よりも低い第２の中心周波数で一次変調を行ない、第２の変調方式を用いた二次変調を行ない第２の変調信号が生成され、前記第１の変調信号及び前記第２の変調信号を加算して重畳信号が生成され、前記重畳信号に基づいて可視光の強さを制御して発光された光を受光する受光部と、
前記受光部が受光して得られた信号から一定期間ごとの平均を算出する平均算出部と、
前記平均算出部の算出結果について、前記二次変調に対応した二次復調を行ない前記一次変調に対応した一次復調を行なって前記第２の情報を取得する第１の復調部と
を備える
ことを特徴とする受信装置。
【請求項１３】
可視光を発光して情報を送信する送信装置と、前記送信装置からの前記可視光を受光して前記情報を受信する受信装置とを備える可視光通信システムの可視光通信方法であって、
前記送信装置は、
第１の情報を第１の中心周波数で平均振幅レベルが一定となる第１の変調方式を用いて第１の変調信号を生成する第１の変調ステップと、
第２の情報を前記第１の中心周波数よりも低い第２の中心周波数で一次変調を行ない、
第２の変調方式を用いた二次変調を行ない第２の変調信号を生成する第２の変調ステップと、
前記第１の変調信号及び前記第２の変調信号を加算して重畳信号を生成する加算ステップと、
前記重畳信号に基づいて前記可視光の強さを制御して発光する発光ステップと
を備え、
前記受信装置は、
前記送信装置から発光された光を受光する受光ステップと、
前記受光して得られた信号から一定期間ごとの平均を算出する平均算出ステップと、
前記平均算出ステップの算出結果について、前記二次変調に対応した二次復調を行ない前記一次変調に対応した一次復調を行なって前記第２の情報を取得する第１の復調ステップと
を備える
ことを特徴とする可視光通信方法。
【請求項１４】
可視光を発光して情報を送信する送信装置と、前記送信装置からの前記可視光を受光して前記情報を受信する受信装置とを備える可視光通信システムの可視光通信方法であって、
前記送信装置は、
第１の情報を第１の中心周波数で平均振幅レベルが一定となる第１の変調方式を用いて第１の変調信号を生成する第１の変調ステップと、
第２の情報を前記第１の中心周波数よりも低い第２の中心周波数で一次変調を行ない第２の変調信号を生成する第２の変調ステップと、
前記第１の変調信号及び前記第２の変調信号を加算して重畳信号を生成する加算ステップと、
前記重畳信号に基づいて前記可視光の強さを制御して発光する発光ステップと
を備え、
前記受信装置は、
前記送信装置から発光された光を受光する受光ステップと、
前記受光して得られた信号から一定期間ごとの平均を算出する平均算出ステップと、
前記平均算出ステップの算出結果について、前記一次変調に対応した一次復調を行なって前記第２の情報を取得する第１の復調ステップと
を備える
ことを特徴とする可視光通信方法。
【手続補正２】
【補正対象書類名】明細書
【補正対象項目名】００１１
【補正方法】変更
【補正の内容】
【００１１】
この発明に係る可視光通信システムにおいては、可視光を発光して情報を送信する送信装置と、前記送信装置からの前記可視光を受光して前記情報を受信する受信装置とを備える可視光通信システムであって、前記送信装置は、第１の情報を第１の中心周波数で平均振幅レベルが一定となる第１の変調方式を用いて第１の変調信号を生成する第１の変調部と、第２の情報を前記第１の中心周波数よりも低い第２の中心周波数で一次変調を行ない、第２の変調方式を用いた二次変調を行ない第２の変調信号を生成する第２の変調部と、前記第１の変調信号及び前記第２の変調信号を加算して重畳信号を生成する加算部と、前記重畳信号に基づいて前記可視光の強さを制御して発光する発光部とを備え、前記受信装置は、前記送信装置から発光された光を受光する受光部と、前記受光部が受光して得られた信号から一定期間ごとの平均を算出する平均算出部と、前記平均算出部の算出結果について、前記二次変調に対応した二次復調を行ない前記一次変調に対応した一次復調を行なって前記第２の情報を取得する第１の復調部とを備えることを特徴とするものである。